(57)【要約】【課題】組立てが簡単にでき、紙箱として一定の強度を有し、一旦閉じた後はむやみに開きにくい、組立て紙箱を提供する。【解決手段】紙箱Ａの底板１の左右の端縁に短側板２を設け、底板１の上端縁に後側板７を設け、後側板７の上端縁に天板８を設け、天板８の上端縁に天板側板９を設け、天板側板９の上端縁に折り込み側板１０を設け、折り込み側板１０の縦幅を天板側板９の縦幅より短く設け、底板１の下端縁に前側板１４を設け、前側板１４の下端縁に内側側板１６を設け、前側板１４上に切り込み１９を設け、後側板７、天板８、天板側板９、折り込み側板１０を底板１側に折り込んで折り込み側板１０を天板側板９の内側に貼着して蓋部を成し、短側板２、前側板１４、内側側板１６を底板１側に折り込み、切り込み１９により突出部１９ａを形成した受け部を成し、蓋部を受け部に被せて蓋部の内側の折り込み側板１０の上端縁の間隙に突出部１９ａが係止される。【選択図】図１
0003108901.tif 000002
【実用新案登録請求の範囲】
【請求項１】
蓋部と受け部が一体に設けられた直方体形状からなる紙箱であって、
四角形状の底板の左右の端縁に折り目を介して短側板を夫々設け、
上記底板の上端縁に折り目を介して後側板を設け、当該後側板の上端縁に折り目を介して天板を設け、当該天板の上端縁に折り目を介して天板側板を設け、当該天板側板の上端縁に折り目を介して折り込み側板を設け、当該折り込み側板の縦幅を上記天板側板の縦幅より若干短く設け、上記天板の左右の端縁に折り目を介して天板短側板を設け、
上記底板の下端縁に折り目を介して前側板を設け、当該前側板の下端縁に折り目を介して細板を設け、当該細板の下端縁に折り目を介して内側側板を設け、当該細板の底板側の折り目から上記前側板上に略山型の切り込みを設け、
当該紙箱の組立てに際しては、上記後側板、天板、天板側板、折り込み側板及び天板短側板を各折り目により夫々上記底板側に折り込んで当該折り込み側板を天板側板の内側に当接して貼着して蓋部を形成し、上記短側板、前側板、細板及び内側側板を各折り目により夫々底板側に折り込み、上記略山型の切り込みを有する折り目を折ることにより上記細板に当該前側板の前方に突出した突出部を形成した受け部を形成し、上記蓋部を上記受け部に被せた際、当該蓋部の内側の天板と天板側板の間の折り目と上記折り込み側板の上端縁との間隙に、上記前側板の突出部が挿入係止されることを特徴とする、組立て紙箱。
【請求項２】
上記蓋部と受け部が一体に設けられた直方体形状からなる紙箱は、
上記各短側板の左右の端縁に折り目を介して短細板を夫々設け、当該各短細板の左右の端縁に折り目を介して内側短側板を夫々設け、当該各内側短側板の左右の端縁に折り目を介して貼着片を夫々設け、
上記後側板の左右の端縁に折り目を介して、下端縁が上記各短側板の上端縁と折り目を介して繋がり一方の対角線に折り目を設けた略方形状の折り込み板を夫々設け、上記天板側板の左右の端縁に折り目を介して、下端縁が上記各天板短側板の上端縁と折り目を介して繋がり一方の対角線に折り目を設けた略方形状の折り込み板を夫々設け、
上記内側側板の下端縁に折り目を介して折り上げ舌片を設け、上記前側板の左右の端縁に折り目を介して、上端縁が上記各短側板の下端縁と折り目を介して繋がり一方の対角線に折り目を設けた略方形状の折り込み板を夫々設け、
当該紙箱の組立てに際しては、上記各短側板、短細板、内側短側板を夫々の折り目により上記底板側に折り込み、上記内側短側板の上記貼着片を折り上げて上記底板上に当接させて貼着して各短側板、短細板及び各内側短側板を支持し、
上記前側板又は後側板の各折り込み板を自体の対角線及び他の折り目により当該前側板又は後側板上に夫々折り込み、
上記前側板、細板及び内側側板を、当該前側板上に折り込んだ折り込み板を包んで底板側に夫々折り目により折り込んで当該内側側板の折り上げ舌片を折り目により折り上げて底板上に当接させて当該前側板、細板及び内側側板を支持して当該紙箱の受け部を形成し、
上記天板側板の各折り込み板を自体の対角線及び他の折り目により当該天板側板上に折り込み、当該各折り込み板の折り込みと共に上記各天板短側板を上記折り目により立設し、上記折り込み側板を上記天板側板上に折り込んだ折り込み板を包んで上記折り目により当該天板側板上に折り込んでその略中央部を当該天板側板に貼着し、当該天板側板上で二つ折り状態になった上記各折り込み板と立設した上記各天板短側板から成る角部に上記折り込み側板の上端の左右の端縁を夫々被せて当該紙箱の蓋部を形成したことを特徴とする、上記請求項１に記載の組立て紙箱。
【請求項３】
上記紙箱の組立てに際して、
自体の対角線及び他の折り目により上記前側板又は後側板上に折り込んだ略方形状の各折り込み板の折込部を当該前側板又は後側板上に夫々貼着し、上記天板側板上に折り込んだ略方形状の各折り込み板の折込部を当該天板側板上に夫々貼着して当該紙箱の受け部及び蓋部を形成したことを特徴とする、上記請求項２に記載の組立て紙箱。
【請求項４】
上記受け部の各貼着片の下端の外側の角部と上記折り上げ舌片の下端の左右の角部とが凹凸形状によって突き合わされるように構成し、
当該受け部の組立てにおいて、上記内側側板を折り目により折り込んで当該内側側板の折り上げ舌片を折り目により折り上げて底板上に当接させた際、
上記受け部の各貼着片の下端の外側角部と当該折り上げ舌片の下端の左右の角部とが夫々の凹凸形状によって嵌合して突き合わされるように形成し、これらにより当該折り上げ舌片が係止されることを特徴とする、上記請求項２又は３の何れかに記載の組立て紙箱。
【請求項５】
上記紙箱の保管時の折り畳みに際して、
上記底板上に貼着した各貼着片に繋がった内側短側板、短細板、短側板を折り目を介して当該底板上に夫々折り込み、同時に前側板又は後側板の各折り込み板を折り目を介して夫々前側板又は後側板上に折り込み、
上記天板の各天板短側板を折り目を介して当該天板上に夫々折り込み、同時に上記天板側板の各折り込み板を折り目を介して当該天板側板上に夫々折り込み、この時、上記天板側板の内側に当接し、略中央部が貼着されている上記折り込み側板の左右の端縁の内側に上記各折り込み板を折り込むこととし、
上記細板、内側側板及び折り上げ舌片を上記前側板と細板の間にある折り目を介して当該前側板上及び当該前側板上に折り込まれた上記各折り込み板上に折り込み、
上記天板及び天板側板上に折り込まれた各天板短側板、折り込み板、及び折り込み側板と共に当該天板及び天板側板を当該天板と上記後側板の間にある折り目を介して上記後側板、底板、各折り込み板、各短側板、折り上げ舌片、内側側板上に折り込んだことを特徴とする、上記請求項２又は３の何れかに記載の組立て紙箱。
【請求項６】
上記紙箱の保管時の折り畳みの際、
予め、上記底板と前側板の間にある折り目を介して当該前側板を当該底板上に折り込み、上記内側側板を上記細板と当該内側側板の間にある折り目を介して当該細板及び上記前側板上に折り込んで夫々折り癖を付けておくことを特徴とした、上記請求項５に記載の組立て紙箱。
【考案の詳細な説明】
【技術分野】
【０００１】
この考案は、洋菓子や和菓子などを入れて持ち運ぶもので、簡単に組み立てられる紙から成る組立て箱に関するものである。
【背景技術】
【０００２】
従来から、洋菓子や和菓子などを入れて持ち運ぶのに、紙箱が組立てが容易で軽量であり、かつ安価なため盛んに使用されている。これらの紙箱は、貼着や折り込みなど工場において出来るだけ組み立て、又は小売店において若干の作業を行って、店頭においては、ワンタッチで組み立てられる状態にして、使用されているものが多い。
【０００３】
一方この様な紙箱は、いわゆる生ケーキを入れるキャリーデコの他、生菓子ではない、個々に包装された菓子を複数個詰めて入れる、もっぱら直方体形状のものも多く使用されている。
【考案の開示】
【考案が解決しようとする課題】
【０００４】
しかしながら、菓子の形態も様々で、また菓子の詰め方も様々である。この様な中、様々な顧客の要望に答える形状の組立て紙箱の提供は、望まれるものである。例えば、個々に包装された数個の菓子を一列に並べられるような、直方体形状の組立て紙箱などの提供も歓迎されるものである。加えてこの様な紙箱では、当該紙箱の蓋部とその蓋部を下で受ける受け部から成るものがあるが、中でも蓋部と受け部が一側で繋がったものは、外部からの小さな衝撃で簡単に箱の蓋部が開いて中に詰めた菓子が箱外に出てしまうことがあり、菓子を詰める紙箱としては、信頼性に欠ける場合があった。
【０００５】
この考案は、これらの課題に鑑みて考案されたものであり、組立てが簡単にでき、紙箱として一定の強度を有し、かつ一旦閉じた後はむやみに開きにくい、組立て紙箱を提供して、上記課題を解決するものである。
【課題を解決するための手段】
【０００６】
請求項１の考案は、蓋部と受け部が一体に設けられた直方体形状からなる紙箱であって、四角形状の底板の左右の端縁に折り目を介して短側板を夫々設け、上記底板の上端縁に折り目を介して後側板を設け、当該後側板の上端縁に折り目を介して天板を設け、当該天板の上端縁に折り目を介して天板側板を設け、当該天板側板の上端縁に折り目を介して折り込み側板を設け、当該折り込み側板の縦幅を上記天板側板の縦幅より若干短く設け、上記天板の左右の端縁に折り目を介して天板短側板を設け、上記底板の下端縁に折り目を介して前側板を設け、当該前側板の下端縁に折り目を介して細板を設け、当該細板の下端縁に折り目を介して内側側板を設け、当該細板の底板側の折り目から上記前側板上に略山型の切り込みを設けた。
【０００７】
当該紙箱の組立てに際しては、上記後側板、天板、天板側板、折り込み側板及び天板短側板を各折り目により夫々上記底板側に折り込んで当該折り込み側板を天板側板の内側に当接して貼着して蓋部を形成し、上記短側板、前側板、細板及び内側側板を各折り目により夫々底板側に折り込み、上記略山型の切り込みを有する折り目を折ることにより上記細板に当該前側板の前方に突出した突出部を形成した受け部を形成し、上記蓋部を上記受け部に被せた際、当該蓋部の内側の天板と天板側板の間の折り目と上記折り込み側板の上端縁との間隙に、上記前側板の突出部が挿入係止される組立て紙箱とした。
【０００８】
請求項２の考案は、上記蓋部と受け部が一体に設けられた直方体形状からなる紙箱は、上記各短側板の左右の端縁に折り目を介して短細板を夫々設け、当該各短細板の左右の端縁に折り目を介して内側短側板を夫々設け、当該各内側短側板の左右の端縁に折り目を介して貼着片を夫々設け、上記後側板の左右の端縁に折り目を介して、下端縁が上記各短側板の上端縁と折り目を介して繋がり一方の対角線に折り目を設けた略方形状の折り込み板を夫々設け、上記天板側板の左右の端縁に折り目を介して、下端縁が上記各天板短側板の上端縁と折り目を介して繋がり一方の対角線に折り目を設けた略方形状の折り込み板を夫々設け、上記内側側板の下端縁に折り目を介して折り上げ舌片を設け、上記前側板の左右の端縁に折り目を介して、上端縁が上記各短側板の下端縁と折り目を介して繋がり一方の対角線に折り目を設けた略方形状の折り込み板を夫々設けた。
【０００９】
当該紙箱の組立てに際しては、上記各短側板、短細板、内側短側板を夫々の折り目により上記底板側に折り込み、上記内側短側板の端縁の上記貼着片を折り上げて上記底板上に当接させて貼着して各短側板、短細板及び各内側短側板を支持し、上記前側板又は後側板の各折り込み板を自体の対角線及び他の折り目により当該前側板又は後側板上に夫々折り込み、上記前側板、細板及び内側側板を、当該前側板上に折り込んだ折り込み板を包んで底板側に夫々折り目により折り込んで当該内側側板の折り上げ舌片を折り目により折り上げて底板上に当接させて当該前側板、細板及び内側側板を支持して当該紙箱の受け部を形成した。
【００１０】
さらに、上記天板側板の各折り込み板を自体の対角線及び他の折り目により当該天板側板上に折り込み、当該各折り込み板の折り込みと共に上記各天板短側板を上記折り目により立設し、上記折り込み側板を上記天板側板上に折り込んだ折り込み板を包んで上記折り目により当該天板側板上に折り込んでその略中央部を当該天板側板に貼着し、当該天板側板上で二つ折り状態になった上記各折り込み板と立設した上記各天板短側板から成る角部に上記折り込み側板の上端の左右の端縁を夫々被せて当該紙箱の蓋部を形成した上記請求項１に記載の組立て紙箱とした。
【００１１】
請求項３の考案は、上記紙箱の組立てに際して、自体の対角線及び他の折り目により上記前側板又は後側板上に折り込んだ略方形状の各折り込み板の折込部を当該前側板又は後側板上に夫々貼着し、上記天板側板上に折り込んだ略方形状の各折り込み板の折込部を当該天板側板上に夫々貼着して当該紙箱の受け部及び蓋部を形成した上記請求項２に記載の組立て紙箱とした。
【００１２】
請求項４の考案は、上記受け部の各貼着片の下端の外側の角部と上記折り上げ舌片の下端の左右の角部とが凹凸形状によって突き合わされるように構成し、当該受け部の組立てにおいて、上記内側側板を折り目により折り込んで当該内側側板の折り上げ舌片を折り目により折り上げて底板上に当接させた際、上記受け部の各貼着片の下端の外側角部と当該折り上げ舌片の下端の左右の角部とが夫々の凹凸形状によって嵌合して突き合わされるように形成し、これらにより当該折り上げ舌片が係止される上記請求項２又は３の何れかに記載の組立て紙箱とした。
【００１３】
請求項５の考案は、上記紙箱の保管時の折り畳みに際して、上記底板上に貼着した各貼着片に繋がった内側短側板、短細板、短側板を折り目を介して当該底板上に夫々折り込み、同時に前側板又は後側板の各折り込み板を折り目を介して夫々前側板又は後側板上に折り込み、上記天板の各天板短側板を折り目を介して当該天板上に夫々折り込み、同時に上記天板側板の各折り込み板を折り目を介して当該天板側板上に夫々折り込み、この時、上記天板側板の内側に当接し、略中央部が貼着されている上記折り込み側板の左右の端縁の内側に上記各折り込み板を折り込むこととし、上記細板、内側側板及び折り上げ舌片を上記前側板と細板の間にある折り目を介して当該前側板上及び当該前側板上に折り込まれた上記各折り込み板上に折り込み、上記天板及び天板側板上に折り込まれた各天板短側板、折り込み板、及び折り込み側板と共に当該天板及び天板側板を当該天板と上記後側板の間にある折り目を介して上記後側板、底板、各折り込み板、各短側板、折り上げ舌片、内側側板上に折り込んだ上記請求項２又は３の何れかに記載の組立て紙箱とした。
【００１４】
請求項６の考案は、上記紙箱の保管時の折り畳みの際、予め、上記底板と前側板の間にある折り目を介して当該前側板を当該底板上に折り込み、上記内側側板を上記細板と当該内側側板の間にある折り目を介して当該細板及び上記前側板上に折り込んで夫々折り癖を付けておく上記請求項５に記載の組立て紙箱とした。
【考案の効果】
【００１５】
請求項１乃至６の各考案によれば、直方体形状であって、簡単に組立てが出来、かつ一定の強度を有すると共に開きにくい組立て紙箱が提供出来、菓子店等の陳列や包装の様々な要望の一つを叶えることが出来る。
【００１６】
すなわち、直方体形状からなる紙箱の組立てに際して、後側板、天板、天板側板、折り込み側板及び天板短側板を各折り目により夫々底板側に折り込んで折り込み側板を天板側板の内側に当接して貼着して蓋部を形成し、短側板、前側板、細板及び内側側板を各折り目により夫々底板側に折り込み、略山型の切り込みを有する折り目を折ることにより前側板の細板に当該前側板の前方に突出した突出部を形成した受け部を形成し、蓋部を受け部に被せた際、当該蓋部の内側の天板と天板側板の間の折り目と上記折り込み側板の上端縁との間隙に、前側板の突出部が挿入係止されるようにしたので、紙箱がむやみに開きにくく、安心して菓子等を詰めることが出来る。
【００１７】
請求項３の考案によれば、上記紙箱の組立てに際して、紙箱の組立てに際して、前側板又は後側板上に折り込んだ各折り込み板の折込部を予めこれらの前側板又は後側板上に夫々貼着し、また天板側板上に折り込んだ各折り込み板の折込部を予めこの天板側板上に夫々貼着して紙箱の受け部と蓋部を形成したので、組立ても容易であり、よりしっかりした受け部と蓋部が形成され、紙箱としても使い易いものである。
【００１８】
請求項４の考案によれば、上記受け部の各貼着片の下端の外側の角部と上記折り上げ舌片の下端の左右の角部とが凹凸形状によって突き合わされるように構成し、この受け部の組立てにおいて、上記内側側板を折り目により折り込んで当該内側側板の折り上げ舌片を折り目により折り上げて底板上に当接させた際、上記受け部の各貼着片の下端の外側角部と当該折り上げ舌片の下端の左右の角部とが夫々の凹凸形状によって嵌合して突き合わされるように形成し、これらにより当該折り上げ舌片が係止されるように設けたので、前側板、細板及び内側側板は、貼着せずに折り込むだけで、受け部がより強い強度を持って形成され、菓子等を詰める紙箱として信頼性の高いものである。
【００１９】
請求項５の考案によれば、上記紙箱の保管時の折り畳みに際して、上記底板上に貼着した各貼着片に繋がった内側短側板等を底板上に折り込み、同時に前側板又は後側板の各折り込み板を夫々前側板又は後側板上に折り込み、天板の各天板短側板をこの天板上に夫々折り込み、同時に天板側板の各折り込み板をこの天板側板上に夫々折り込み、折り込み側板の左右の端縁の下側に各折り込み板を折り込むこととし、細板、内側側板及び折り上げ舌片を前側板上及び当該前側板上に折り込まれた上記各折り込み板上に折り込み、天板、天板側板上に折り込まれた各天板短側板等を後側板、底板、各折り込み板、各内側短側板、折り上げ舌片、内側側板上に折り込んだので、この紙箱を扁平でコンパクトな状態に、折り畳むことが出来、保管時、移送時に極めて便利である。
【００２０】
請求項６の考案によれば、上記紙箱の保管時の折り畳みの際、予め、底板と前側板の間にある折り目を介して前側板を底板上に折り込み、内側側板を細板と内側側板の間にある折り目を介して細板及び前側板上に折り込んで夫々折り癖を付けたので、保管時の折り畳んだ状態から極めて容易に紙箱を組み立てることが出来る。
【考案を実施するための最良の形態】
【００２１】
蓋部と受け部が一体に設けられた直方体形状からなる紙箱であって、四角形状の底板の左右の端縁に折り目を介して短側板を夫々設け、当該各短側板の左右の端縁に折り目を介して短細板を夫々設け、当該各短細板の左右の端縁に折り目を介して内側短側板を夫々設け、当該各内側短側板の左右の端縁に折り目を介して貼着片を夫々設けた。
【００２２】
上記底板の上端縁に折り目を介して後側板を設け、当該後側板の上端縁に折り目を介して天板を設け、当該天板の上端縁に折り目を介して天板側板を設け、当該天板側板の上端縁に折り目を介して折り込み側板を設け、当該折り込み側板の縦幅を上記天板側板の縦幅より若干短く設け、上記天板の左右の端縁に折り目を介して天板短側板を設け、上記後側板の左右の端縁に折り目を介して、下端縁が上記各短側板の上端縁と折り目を介して繋がり一方の対角線に折り目を設けた略方形状の折り込み板を夫々設け、上記天板側板の左右の端縁に折り目を介して、下端縁が上記各天板短側板の上端縁と折り目を介して繋がり一方の対角線に折り目を設けた略方形状の折り込み板を夫々設けた。
【００２３】
上記底板の下端縁に折り目を介して前側板を設け、当該前側板の下端縁に折り目を介して細板を設け、当該細板の下端縁に折り目を介して内側側板を設け、当該内側側板の下端縁に折り目を介して折り上げ舌片を設け、上記前側板の左右の端縁に折り目を介して、上端縁が上記各短側板の下端縁と折り目を介して繋がり一方の対角線に折り目を設けた略方形状の折り込み板を夫々設け、上記細板の底板側の折り目から上記前側板上に略山型の切り込みを設け、上記内側側板の下端縁に折り目を介して折り上げ舌片を設けた。
【００２４】
この紙箱の組立てに際しては、上記後側板、天板、天板側板、折り込み側板及び天板短側板を各折り目により夫々上記底板側に折り込んで当該折り込み側板を天板側板の内側に当接して貼着し、上記天板側板の各折り込み板を自体の対角線及び他の折り目により当該天板側板上に夫々折り込み、上記天板側板上に折り込んだ略方形状の各折り込み板の折込部を当該天板側板上に夫々貼着して蓋部を形成した。上記各短側板、短細板、内側短側板を夫々の折り目により上記底板側に折り込み、上記内側側板の端縁の上記貼着片を折り上げて上記底板上に当接させて貼着して各短側板、短細板及び各内側短側板を支持した。
【００２５】
上記前側板又は後側板の各折り込み板を自体の対角線及び他の折り目により当該前側板又は後側板上に夫々折り込み、当該各折り込み板の折込部を当該前側板又は後側板上に夫々貼着し、上記前側板、細板及び内側側板を、当該前側板上に折り込んだ折り込み板を包んで底板側に夫々折り目により折り込んで当該内側側板の折り上げ舌片を折り目により折り上げて底板上に当接させて当該前側板、細板及び内側側板を支持し、上記略山型の切り込みを有する折り目を折ることにより上記細板に当該前側板の前方に突出した突出部を形成した受け部を形成して当該紙箱の受け部を形成した。
上記蓋部を上記受け部に被せた際、当該蓋部の内側の天板と天板側板の間の折り目と上記折り込み側板の上端縁との間隙に、上記前側板の突出部が挿入係止されることとした。
【実施例１】
【００２６】
以下、この考案の実施例を図に基づいて説明する。
図１及び図２は、この実施例の組立て紙箱（以下単に「紙箱」という）Ａを示し、横長の直方体形状からなる。横長の長方形状から成る底板１の左右の端縁に折り目５１を介して長方形状の短側板２を夫々設け、これらの各短側板２の左右の端縁に折り目５２を介して細幅の長方形状の短細板３を夫々設けている。またこれらの各短細板３の左右の端縁に折り目５３を介して内側短側板４を夫々設け、これらの各内側短側板４の左右の端縁に折り目５４を介して貼着片５を夫々設け、これらの貼着片５は、左側の貼着片５は、下端の外側である、左側の角部を斜めに切り取って設けており、右側の貼着片５は、下端の外側である、右側の角部を斜めに切り取って設けている。上記各内側短側板４の下端縁に折り目５５を介して略台形状の折り込み舌片６を夫々設けている。
【００２７】
上記底板１の上端縁に折り目５６を介して長方形状の後側板７を設け、この後側板７の上端縁に折り目５７を介して底板１と略同形同大の天板８を設け、この天板８の上端縁に折り目５８を介して長方形状の天板側板９を設けている。この天板側板９の上端縁に折り目５９を介してこの天板側板９の縦幅より若干短く、上端の左右の角部をアール状にした折り込み側板１０を設け、上記後側板７の左右の端縁に折り目６０を介して、下端縁が上記各短側板２の上端縁と折り目６１を介して繋がり、一方の対角線に折り目６２を設けた略方形状の折り込み板１１を夫々設けている。
【００２８】
上記天板８の左右の端縁に折り目６３を介して天板短側板１２を夫々設け、これらの天板短側板１２は、左側の天板短側板１２は、下端の外側である、左側の角部を斜めに切り取って設けており、右側の天板短側板１２は、下端の外側である、右側の角部を斜めに切り取って設けている。上記天板側板９の左右の端縁に折り目６４を介して、下端縁が上記各天板短側板１２の上端縁と折り目６５を介して繋がり、一方の対角線に折り目６６を設けた略方形状の折り込み板１３を夫々設けている。
【００２９】
また上記底板１の下端縁に折り目６７を介して前側板１４を設け、この前側板１４の下端縁に折り目６８を介して細板１５を設け、この細板１５の下端縁に折り目６９を介して内側側板１６を設けている。この内側側板１６は、左右の端縁を一定幅、すなわち短細板３の幅の分だけ夫々切り取って、後にこの紙箱を組み立てた際、各短細板３とぶつからないようになっている。この内側側板１６の下端縁に折り目７０を介して折り上げ舌片１７を設けており、この折り上げ舌片１７は、下端の左右の角部を半台形状に夫々切り取っている。上記前側板１４の左右の端縁に折り目７１を介して、上端縁が上記各短側板２の下端縁と折り目７２を介して繋がり、一方の対角線に折り目７３を設けた略方形状の折り込み板１８を夫々設けている。
【００３０】
さらに上記細板１５の底板１側の折り目６８から浅い山型の切り込み１９を上記前側板１４上に二つ設けており、また上記折り上げ舌片１７側の折り目７０から角状の山型の切り込み２０を内側側板１６上に三つ等間隔で設けている。なおこの山型の各切り込み２０内には折り目７０が形成されていない。
【００３１】
この紙箱Ａの組立てに際しては、上記各短側板２、短細板３、内側短側板４を夫々の折り目５１、５２、５３により上記底板１側に折り込み、これらの底板１側に折り込んだ当該内側側板４の貼着片５を折り目５４により折り上げ（外側に折る）底板１上に当接させて貼着して各短側板２、短細板３及び各内側短側板４を支持する（図２参照）。
【００３２】
また、上記後側板７、前側板１４を夫々折り目５６、６７により底板１側に折り込む。当該後側板７、前側板１４の左右の略方形状の各折り込み板１１、１８を自体の対角線６２、７３及び他の折り目６０、６１、７１、７２によりこれらの後側板７、前側板１４上に夫々折り込み、これらの後側板７、前側板１４上に折り込んだ略方形状の各折り込み板１１、１８の各折込部１１ａ、１８ａをこれらの後側板７、前側板１４上に夫々貼着する。さらにこの時、前側板１４上に折り込んだ各折り込み板１８の上に各折り込み舌片６を折り目５５により夫々折り込んで重ねる。
【００３３】
そして、上記細板１５及び内側側板１６を折り目６８、６９により内側に折り込み、当該前側板１４上に折り込んだ折り込み板１８及び折り込み舌片６を包んで、底板１側に折り込んで内側側板１６の折り上げ舌片１７を折り目７０により折り上げ（外側に折る）て底板１上に当接させる。さらに、図３に示すように、折り上げ舌片１７の下端の左右の半台形状に角部が切り取られた各箇所１７ａを、既に底板１上に貼着されている貼着片５の角部が切り取られた各箇所５ａと嵌合して突き合わせて折り上げ舌片１７を係止し、折り上げ舌片１７を折り目７０により折り上げることにより形成された各切り込み２０の突出部２０ａの先端が三箇所で折り上げ舌片１７と反対方向に突出して前側板１４の内側に突き当たり、内側側板１６を安定して支持する。
【００３４】
さらに、この時、折り込まれた細板１５と前側板１４の間にある折り目６８上の切り込み１９による突出部１９ａが前側板１４の外側にやや突出する。この様にして当該紙箱Ａの受け部Ｂを形成する。
【００３５】
また、上記天板８及び天板側板９を底板１側に折り込む。さらにこの天板側板９の左右の各折り込み板１３を自体の対角線６６及び他の折り目６４，６５によりこの天板側板９上に夫々折り込み、当該各折り込み板１３の折り込みと共に上記各天板短側板１２を上記折り目６３により天板８側に折り込んで立設し、この天板側板９上に折り込んだ略方形状の各折り込み板１３の折込部１３ａを当該天板側板９上に夫々貼着する。また折り込み側板１０を、上記天板側板９上に折り込んだ折り込み板１３を包んで、上記折り目５９によりこの天板側板９上に折り込んで、この折り込み側板１０の略中央を貼着し、当該天板側板９上で二つ折り状態になった上記折り込み板１３と立設した上記天板短側板１２によって形成される角部に上記折り込み側板１０の左右の端縁を夫々被せてこの紙箱Ａの蓋部Ｃを形成する。
【００３６】
この後、図４及び図５に示すように、蓋部Ｃを受け部Ｂに被せて紙箱Ａを完成させる。この時、図６に示すように、天板側板９の縦幅より小さい縦幅の折り込み側板１０を折り込んで重ねているため、蓋部Ｃの内側の天板８と天板側板９の間の折り目５８と、内側に折り込まれた折り込み側板１０の上端縁の間に間隙が生じ、この間隙に上記受け部Ｂの前側板１４の切り込み１９による突出部１９ａが挿入して係止され、蓋部Ｃがむやみに開かなくなっている。
【００３７】
次に、この紙箱Ａを保管する際の扁平に折り畳む手順を説明する。
図１、図２及び７に示すように、上記底板１上に貼着した状態の各貼着片５に繋がった内側短側板４、短細板３、短側板２を折り目５４、５３、５２、５１を介してこの底板１上に夫々折り込み、これと同時に前側板１４又は後側板７上に各折込部１８ａ、１１ａが貼着されている各折り込み板１８、１１を折り目７１、６０を介して夫々前側板１４又は後側板７上に折り込む（図２では、各折り込み板１８、１１の各折込部１８ａ、１１ａは、前側板１４又は後側板７上に貼着されていない状態を示す）。
【００３８】
さらに、図７に示すように、上記天板８の各天板短側板１２を折り目６３を介してこの天板８上に夫々折り込み、これと同時に上記天板側板９上に折込部１３ａが貼着されている各折り込み板１３を折り目６４を介してこの天板側板９上に夫々折り込む。この時、折り込まれて天板側板９の内側に当接し、略中央部が貼着されている折り込み側板１０の左右の端縁の内側に上記各折り込み板１３を折り込む。続いて、上記細板１５、内側側板１６及び折り上げ舌片１７を上記前側板１４と細板１５の間にある折り目６８を介してこの前側板１４上及びこの前側板１４上に折り込まれた上記各折り込み板１８上に折り込む。
【００３９】
次に、図７及び８に示すように、上記天板８及び天板側板９上に折り込まれた、各天板短側板１２、折り込み板１３、折り込み側板１０と共に、これら天板８及び天板側板９を、当該天板８と上記後側板７の間にある折り目５７を介して後側板７、底板１、各折り込み板１１、各短側板２、折り上げ板１７、内側側板１６上に折り込む。これにより、紙箱Ａを扁平でコンパクトに状態に折り畳むことが出来る。
【００４０】
この扁平でコンパクトに折り畳む時に、予め上記底板１と前側板１４の間にある折り目６７を介してこの前側板１４を底板１上に一度折り込み、内側側板１６を上記細板１５と内側側板１６の間にある折り目６９を介してこの細板１５及び上記前側板１４上に一度折り込んで夫々折り癖を付けておく。
【００４１】
これにより、上記折り畳まれた状態から、紙箱Ａを組み立てることが容易に出来る。すなわち、上記紙箱Ａは、図８に示すように、折り目５７を介して略二つ折りに、さらに、折り目６８を介して内側側板１６を細板１５及び前側板１４上に折り込んで、紙箱Ａ全体を扁平な状態に折り畳んでいる。
この状態から、紙箱Ａを組み立てる際、折り込まれた上記天板８及び天板側板９等を折り目５７により折り返し、また底板１上の左右の上記各短側板２等を折り目５１等により立設し、さらに、上記前側板１４を折り目６７を介して底板１側に折り込もうとすると、底板１上に立設した各短側板２、各折り込み舌片６及び各折り込み板１８があって、邪魔になり易いが、上記の通り予め前側板１４を折り目６７を介して折り込んで折り癖を付けておくと、前側板１４を折り目６７を介して底板１側に容易に折り込んで紙箱Ａを組立てることが出来る。
【００４２】
また、内側側板１６を折り目６９を介して細板１５側に折り込もうとすると、そもそもこの紙箱Ａが保管時に折り目６８により扁平に折り畳まれているので、この折り目６８により折り込まれる慣性が強く、各内側側板１６を折り目６９を介して折り込んで細幅の細板１５を形成することは、容易ではないが、予め上記の通り内側側板１６を折り目６９を介して折り込んで折り癖を付けておくと、容易に、内側側板１６を折り目６９を介して折り込んで細板１５を形成することが出来る。これらにより、紙箱Ａを保管状態から極めて容易に組み立てることが出来る。
【００４３】
上記実施例においては、後側板７、前側板１４及び天板側板９上に折り込んだ各折り込み板１１、１８及び１３の各折込部１１ａ、１８ａ及び１３ａをこれらの後側板７、前側板１４及び天板側板９上に夫々貼着しているが、これらの各折り込み板１１、１８及び１３の各折込部１１ａ、１８ａ及び１３ａは、貼着しなくても良い。また、折り上げ舌片１７を折り目７０により折り上げて形成した突出部２０ａが前側板１４の内側に突き当たり、内側側板１６を支持するようにしているが、突出部２０ａは必ずしも設ける必要はない。
【００４４】
また、切り込み１９による突出部１９ａを二つ設けており、切り込み２０の突出部２０ａを三箇所設けているが、これらの数は、二つや三つの数に限定するものではない。さらに、上記実施例では、受け部Ｂの各貼着片５の下端の外側の角部を斜めに切り取って設け、また上記折り上げ舌片１７の下端の左右の角部を略半台形状に切り取って、これらを嵌合して突き合わせているが、これらの角部の切り取り形状は、これらに限定するものではなく、貼着片５の下端の外側の角部と折り上げ舌片１７の下端の左右の角部とが凹凸形状で嵌合、突き合わせることが出来る形状であればよい。
【図面の簡単な説明】
【００４５】
【図１】この考案の実施例の紙箱の展開図である。
【図２】この考案の実施例の紙箱において、蓋部と受け部を形成した状態の斜視図である。
【図３】この考案の実施例の紙箱において、受け部を形成した際の折り上げ舌片の角部を切り取った箇所を貼着片の角部を切り取った箇所に突き合わせて係止し、切り込みの突出部が側板の内側に突き当たり、内側側板を支持している状態の説明図である。
【図４】この考案の実施例の紙箱において、形成された蓋部を受け部に被せつつある状態の斜視図である。
【図５】この考案の実施例の紙箱において、形成された蓋部を受け部に完全に被せた状態の斜視図である。
【図６】この考案の実施例の紙箱において、形成された蓋部を受け部に完全に被せた際、蓋部の内側の天板と天板側板の間の折り目と内側に折り込まれた折り込み側板の上端縁の間に出来た間隙に、受け部の前側板の突出部が係止されている状態を示す説明断面図である。
【図７】この考案の実施例の紙箱の一部を底板、後側板、天板、天板側板及び前側板上に夫々折り込んだ状態の右部平面図である。
【図８】この考案の実施例の紙箱を扁平に折り畳んだ状態の斜視図である。
【符号の説明】
【００４６】
Ａ    紙箱                              Ｂ    受け部
Ｃ    蓋部
１    底板                              ２    短側板
３    短細板                            ４    内側短側板
５    貼着片                            ６    折り込み舌片
７    後側板                            ８    天板
９    天板側板                        １０    折り込み側板
１１    折り込み板                      １１ａ  折込部
１２    天板短側板                     １３    折り込み板
１３ａ  折込部                          １４    前側板
１５    細板                            １６    内側側板
１７    折り上げ舌片                    １８    折り込み板
１８ａ  折込部                         １９    切り込み
１９ａ  突出部                         ２０    切り込み
２０ａ  突出部
【図１】
0003108901.tif 000003
【図２】
0003108901.tif 000004
【図３】
0003108901.tif 000005
【図４】
0003108901.tif 000006
【図５】
0003108901.tif 000007
【図６】
0003108901.tif 000008
【図７】
0003108901.tif 000009
【図８】
0003108901.tif 000010